(57)【要約】【課題】この発明は、コネクタの着脱に要する時間を短縮することができるとともに、その作業性を向上させることができるコネクタ受け治具を提供することを目的とする。【解決手段】位置決め凹部３でのコネクタＣの位置決めにより、ロック先端部５１をロック位置へ進出させるコネクタ当接部５２を備え、該コネクタ当接部５２は、ロック解除レバー６によるロック先端部５１のロック解除動作に基づいて、コネクタＣを位置決め凹部３から押し出すことができるようにした。【選択図】図１
2007258002.tif 000002
【特許請求の範囲】
【請求項１】
コネクタを位置決めする位置決め凹部と、
位置決めされたコネクタをロックするロック手段と、
該ロック手段によるコネクタのロック状態を解除するロック解除操作手段とを備えたコネクタ受け治具であって、
前記位置決め凹部でのコネクタの位置決めにより、前記ロック手段をロック位置へ進出させるロック駆動手段と、
前記ロック解除操作手段によるロック手段のロック解除動作に基づいて、コネクタを前記位置決め凹部から押し出す押し出し手段とを備えた
コネクタ受け治具。
【請求項２】
前記ロック手段と前記押し出し手段は連結されており、それらは回動軸を中心に回動自在となっており、
位置決めされたコネクタの設置スペース内に前記押し出し手段を配設して前記ロック駆動手段とし、前記位置決め凹部でのコネクタの位置決めにより、前記押し出し手段を押圧して変位させ、前記ロック手段を回動させながらロック位置へ進出させるとともに、
前記ロック解除操作手段により前記ロック手段を回動させてロック位置から退避させるロック解除動作に基づいて、前記押し出し手段を回動させながらコネクタの前記設置スペース内に変位させ、コネクタを前記位置決め凹部から押し出す
請求項１記載のコネクタ受け治具。
【請求項３】
前記ロック手段によるコネクタのロック状態において、該ロック手段の位置を保持するとともに、
コネクタが位置決めされていない状態において、前記押し出し手段を前記設置スペース内に保持する保持手段を備えた
請求項１または２記載のコネクタ受け治具。
【請求項４】
前記保持手段は、コネクタが位置決めされていない状態において、前記ロック手段をロック位置から退避した位置に保持する
請求項３記載のコネクタ受け治具。
【請求項５】
前記位置決め凹部でのコネクタの位置決めにより、前記ロック手段を前記位置決め凹部と対向する側に進出させ、前記ロック手段と前記位置決め凹部との間でコネクタを挟持してロック状態とする
請求項１乃至４のうちいずれか一項に記載のコネクタ受け治具。
【請求項６】
前記位置決め凹部を形成したベース部を備え、
該ベース部は、位置決め凹部を形成した面の縁部が側方に向けて開放されている
請求項１乃至５のうちいずれか一項に記載のコネクタ受け治具。
【発明の詳細な説明】
【技術分野】
【０００１】
この発明は、コネクタを位置決めする位置決め凹部と、位置決めされたコネクタをロックするロック手段と、該ロック手段によるコネクタのロック状態を解除するロック解除操作手段とを備えたコネクタ受け治具に関する。
【背景技術】
【０００２】
従来より、ワイヤハーネスを構成する電線の端子をコネクタに装着する作業においては、先ず、コネクタ受け治具にコネクタを装着して所定位置に仮固定することが行われている。
【０００３】
このようなコネクタ受け治具としては、例えば、特許文献１に開示されているように、コネクタを位置決めする位置決め凹部の入口となるコネクタ挿入口と、位置決め凹部に位置決めされたコネクタをロックするためのロック手段とを備えたものが知られている。
【０００４】
【特許文献１】特開平７−２２０８５０号公報
【発明の開示】
【発明が解決しようとする課題】
【０００５】
ワイヤハーネス製造工程において、自動機が用いられる場合であっても、コネクタ受け治具へのコネクタ装着作業は人手で行われることが多い。従って、作業者がコネクタ装着作業に手間取ると、その分自動機の作業停止時間が増えることとなり、ワイヤハーネス製造工程における作業効率が低下してしまうことになる。
【０００６】
自動機の作業停止時間を削減するためには、コネクタ受け治具におけるコネクタのロック作業がスムーズに行えるものでなければならない。
【０００７】
さらに、ワイヤハーネス製造工程における作業効率を考慮すれば、コネクタ受け治具におけるコネクタのロック解除作業、コネクタの引き抜き作業もスムーズに行えるものでなければならない。前記特許文献１に開示のコネクタ受け治具では、コネクタを抜き取る際、一方の手でロック手段のつまみ部を操作してロック手段を解除位置に変位させつつ、これを保持しなければならない。さらに、前記つまみを操作しただけでは単にロック状態が解除されたに過ぎないため、他方の手でコネクタを前記位置決め凹部から引き抜かなければならない。このように、前記特許文献１に開示のコネクタ受け治具では、両手での作業が要求されるため作業性が低下してしまうとともに、位置決め凹部からコネクタを引き抜く作業を要する分だけ作業時間のロスが生じ、作業効率が低化してしまうという問題があった。
【０００８】
この発明は、コネクタの着脱に要する時間を短縮することができるとともに、その作業性を向上させることができるコネクタ受け治具を提供することを目的とする。
【課題を解決するための手段】
【０００９】
この発明のコネクタ受け治具は、コネクタを位置決めする位置決め凹部と、位置決めされたコネクタをロックするロック手段と、該ロック手段によるコネクタのロック状態を解除するロック解除操作手段とを備えたコネクタ受け治具であって、前記位置決め凹部でのコネクタの位置決めにより、前記ロック手段をロック位置へ進出させるロック駆動手段と、前記ロック解除操作手段によるロック手段のロック解除動作に基づいて、コネクタを前記位置決め凹部から押し出す押し出し手段とを備えたことを特徴とする。
【００１０】
この発明の一実施態様においては、前記ロック手段と前記押し出し手段は連結されており、それらは回動軸を中心に回動自在となっており、位置決めされたコネクタの設置スペース内に前記押し出し手段を配設して前記ロック駆動手段とし、前記位置決め凹部でのコネクタの位置決めにより、前記押し出し手段を押圧して変位させ、前記ロック手段を回動させながらロック位置へ進出させるとともに、前記ロック解除操作手段により前記ロック手段を回動させてロック位置から退避させるロック解除動作に基づいて、前記押し出し手段を回動させながらコネクタの前記設置スペース内に変位させ、コネクタを前記位置決め凹部から押し出すことを特徴とする。  
なお、本発明において「設置スペース」とは、位置決め凹部によって位置決めされたコネクタが占有する空間を意味する。
【００１１】
この発明の一実施態様においては、前記ロック手段によるコネクタのロック状態において、該ロック手段の位置を保持するとともに、コネクタが位置決めされていない状態において、前記押し出し手段を前記設置スペース内に保持する保持手段を備えたことを特徴とする。
【００１２】
この発明の一実施態様においては、前記保持手段は、コネクタが位置決めされていない状態において、前記ロック手段をロック位置から退避した位置に保持することを特徴とする。
【００１３】
この発明の一実施態様においては、前記位置決め凹部でのコネクタの位置決めにより、前記ロック手段を前記位置決め凹部と対向する側に進出させ、前記ロック手段と前記位置決め凹部との間でコネクタを挟持してロック状態とすることを特徴とする。
【００１４】
この発明の一実施態様においては、前記位置決め凹部を形成したベース部を備え、該ベース部は、位置決め凹部を形成した面の縁部が側方に向けて開放されていることを特徴とする。
【発明の効果】
【００１５】
この発明によれば、コネクタをコネクタ受け治具に装着する場合、コネクタの装着作業のみでロック作業も実行することができるため、その分作業時間を短縮することができるとともに、コネクタ確実にロックすることができる。また、コネクタを位置決め凹部で位置決めする作業は片手で行うことができるため、作業性を向上させることもできる。
【００１６】
さらに、コネクタのロック状態を解除する場合、ロック解除操作手段の操作のみでロック手段をロック位置から退避させつつ、コネクタを位置決め凹部から押し出す作業も実行することができる。従って、その分作業時間を短縮することができるとともに、コネクタを確実に位置決め凹部から押し出すことができる。また、ロック解除操作手段の操作及びコネクタの引き抜き作業を両手を用いて同時に行う必要がなくなるため、作業性を向上させることができる。
【発明を実施するための最良の形態】
【００１７】
以下、図面に基づいて本発明の実施形態を詳述する。  
（第１実施形態）  
まず、図１、図２に示す第１実施形態について説明する。図１は、本実施形態に係るコネクタ受け治具１のコネクタＣ装着前の状態を示す側面図であり、図２は、本実施形態に係るコネクタ受け治具１のコネクタＣ装着後の状態を示す側面図である。コネクタ受け治具１（以下、治具１と略記する）は、主に、コネクタ挿入口２、位置決め凹部３が形成されたベース部４と、ロックレバー５と、ロック解除レバー６とから構成される。なお、コネクタＣには、電線（不図示）が接続される端子挿入面Ｃ１が形成されており、本実施形態においては、コネクタＣがコネクタ受け治具１に装着された時に端子挿入面Ｃ１が位置する側を正面としている。
【００１８】
コネクタ挿入口２は、位置決め凹部３にコネクタＣを挿入する際の入口となっており、位置決め凹部３は、コネクタＣが装着された時、端子挿入面Ｃ１がベース部４から突出するように凹みの深さが設定された溝部となっている。
【００１９】
ロックレバー５は、ベース部４に設けられた回動軸４１を中心に回動自在に取付けられた略コ字状の部材である。ロックレバー５の一端部は、ベース部４から所定距離離間しており、位置決め凹部３と対向するように形成されたロック先端部５１となっている。ロックレバー５の他端部には、ベース部４側の面に後述のボールプランジャ４３がはまるための係合凹部５３が形成され、回動軸４１から位置決め凹部３側に突出したコネクタ当接部５２となっている。
【００２０】
ロック先端部５１には、ベース部４側に向かって弾性力が作用するスプリング５４と、その先端に取付けられた加圧ヘッド５５とが設けられている。
【００２１】
コネクタ当接部５２は、図示のように、コネクタＣが位置決め凹部３に位置決めされていない状態において側面視で位置決め凹部３と重複する位置にあり、位置決め凹部３に位置決めされた時のコネクタＣの設置スペース（図２においてコネクタＣが占有している空間）内に位置している。また、コネクタ当接部５２は、ロック解除レバー６の一端部６１によりその位置が保持されている。
【００２２】
ロック解除レバー６は、ベース部４に取付けられた回動軸４２を中心に回動自在の部材であり、前記一端部６１には、ベース部４側の面に後述のボールプランジャ４３がはまるための係合凹部６２が形成され、他端部６３は、ベース部４から突出する位置まで延びている。
【００２３】
図１に示す状態において、ロック解除レバー６の係合凹部６２は、ベース部４に設けられたボールプランジャ４３の先端と係合しており、ロック解除レバー６の角度位置が保持されている。これにより、ロック解除レバー６の一端部６１に当接しているコネクタ当接部５２が、前記コネクタＣの設置スペース内に保持されつつ、ロック先端部５１が、コネクタＣのロック位置から退避したロック解除位置に確実に保持される。従って、図１の太矢印で示すように、コネクタＣをロック先端部５１と干渉させることなく位置決め凹部３に供給できる。
【００２４】
次に、本実施形態における、治具１に対するコネクタＣの着脱作業及び、ロックレバー５のロック動作、ロック解除動作について、図１及び図２に基づいて説明する。  
図１に示す状態からコネクタＣを治具１に装着する場合、作業者は、先ずコネクタＣに形成された端子挿入面Ｃ１の方向を決定した後、位置決め凹部３へコネクタＣを挿入する。ここで、コネクタＣを位置決め凹部３内に進出させ、ロックレバー５のコネクタ当接部５２と当接させた後、さらに作業者がコネクタＣを押し込むと、コネクタＣが、位置決め凹部３によって位置決めされるとともに、コネクタ当接部５２を介して押圧力がロック解除レバー６に伝達されるため、ロック解除レバー６の係合凹部６２とボールプランジャ４３との係合が外れる。
【００２５】
これにより、コネクタ当接部５２が下方に変位すると同時に、ロックレバー５、ロック解除レバー６は、図１に示す角度位置に保持された状態からそれぞれ図２に示すように時計方向ｒ１、反時計方向ｒ２に回動するよう駆動される。そして、この回動により、係合凹部５３とボールプランジャ４３とが係合してロックレバー５の角度位置が保持される。ボールプランジャ４３は、ロックレバー５側の係合凹部５３の回動軌跡と、ロック解除レバー６側の係合凹部６２側の回動軌跡とが重複する位置に配設されているため、上述したように、いずれの係合凹部５３、６２とも係合することができる。これにより、ロックレバー５、ロック解除レバー６を位置決めするための構成は簡素化されたものとなっている。
【００２６】
ロック先端部５１は、前記回動により、位置決め凹部３と対向する位置まで進出して、コネクタＣの、ベース部４側と反対の面を押さえ込むロック位置に保持される。このように、コネクタ当接部５２の押し込みでロックレバー５を回動させながらロック先端部５１をロック位置に進出させることにより、コネクタＣの装着作業と同時にロック作業も確実に実行することができ、その分作業効率を向上させ、作業時間を短縮させることができる。また、治具１によりコネクタＣを位置決め凹部３へ挿入するといった作業は片手で行うことができるため、作業性を向上させることもできる。
【００２７】
また、ロックレバー５の両端をロック先端部５１、コネクタ当接部５２に設定して互いを連結するとともに、ロックレバー５を回動軸４１を中心に回動自在とすることにより、コネクタ当接部５２をロック駆動手段とすることができる。従って、簡素な機構でロック機構を構成することができ、コネクタＣの前記挿入時において、ロックレバー５の回動動作のみにより、ロック先端部５１を確実にロック位置に進出させることができる。
【００２８】
また、図２に示すように、治具１に装着されたコネクタＣは、位置決め凹部３の底部とロックレバー５のロック先端部５１との間に挟持されることで所定位置に固定された状態にある。従って、コネクタＣのロック状態をより安定させることができ、電線の接続作業において、コネクタＣのずれを確実に防止し、前記接続作業を行い易くすることができる。
【００２９】
また、ボールプランジャ４３が、ロックレバー５の角度位置を保持することにより、コネクタＣのロック状態をさらに安定させることができる。
【００３０】
この時、ロック先端部５１の加圧ヘッド５５は、スプリング５４の収縮により、コネクタＣをさらにベース部４側へ押圧するため、コネクタＣのロック状態はより安定することとなる。
【００３１】
また、治具１がスプリング５４、加圧ヘッド５５を備えることで、図示のものよりも小型のコネクタであっても、スプリング５４の弾性力により位置決め凹部３とロック先端部５１との間で強力に挟持することができるため、治具１は小型のコネクタも対象とすることができる。
【００３２】
ところで、本実施形態の治具１のベース部４は、位置決め凹部３を囲繞する部材がなく、位置決め凹部３から突出したコネクタＣは複数の方向からアクセスできるようになっている。
【００３３】
前記特許文献１においては、コネクタ装着部の壁部が位置決め凹部３を囲繞し、電線の接続作業がコネクタの挿入方向からしか行えないという問題があった。即ち、前記特許文献１に開示の治具は、コネクタの装着する方向が必然的に決まってしまうために、使用可能なコネクタの種類が限定されてしまうという問題があった。
【００３４】
これに対し、本実施形態の治具１は、ベース部４の縁部が壁部により遮られることなく側方に向けて開放されていることにより、電線の接続作業を多方向から選択的に行うことが可能になる。よって、コネクタ装着方向の制限がなくなるため、対象となるコネクタの種類を増やすことができる。
【００３５】
次に、コネクタＣのロック状態を解除する場合であるが、作業者は先ずロック解除レバー６の他端部６３を時計方向ｒ３に回動させる。これにより、ロック解除レバー６の一端部６１がロックレバー５のコネクタ当接部５２を押圧し、係合凹部５３とボールプランジャ４３との係合を解除させ、ロックレバー５を図１に示すように時計方向ｒ４に回動させる。ロックレバー５の反時計方向の回動により、ロック先端部５１はロック位置から退避してコネクタＣのロック状態が解除される。
【００３６】
このようなロック解除動作に基づいて、コネクタ当接部５２はロック解除レバー６の回動と連動して、前記コネクタＣの設置スペース内に再び進出し、コネクタＣを上方に押し出すように変位する。これによりコネクタＣは、ベース部４の位置決め凹部３から押し出される。
【００３７】
このように、ロック解除レバー６の操作のみでロック先端部５１をロック位置から退避させるとともに、確実にコネクタＣを位置決め凹部３から押し出す（引き抜く）ことができるため、その分作業効率を向上させることができ、作業時間を短縮させることができる。また、治具１により、ロック解除レバー６の操作及びコネクタＣの引き抜き作業を両手を用いて同時に行う必要がなくなるため、作業性を向上させることができる。
【００３８】
このように、治具１を用いれば、コネクタＣのロック、ロック解除、引き抜き作業の作業性を向上させることができるため、これらの作業を自動機により行わせることも可能になる。
【００３９】
ここで、ロック解除レバー６によりロック解除動作がなされ、コネクタＣが位置決めされていない状態となった時、コネクタ当接部５２がロック解除レバー６の一端部６１により前記コネクタＣの設置スペース内に保持されるため、次回治具１へ新たにコネクタＣを装着する時、確実にコネクタ当接部５２をコネクタＣと当接させることができる。
【００４０】
（第２実施形態）  
次に、図３、図４に示す第２実施形態について説明する。図３は、本実施形態に係るコネクタ受け治具１００のコネクタＣ装着前の状態を示す正面図であり、図４は、本実施形態に係るコネクタ受け治具１００のコネクタＣ装着後の状態を示す正面図である。なお、第１実施形態と同様の構成要素についてはその説明を省略する。なお、本実施形態においても、第１実施形態と同様、コネクタＣがコネクタ受け治具１００に装着された時に端子挿入面Ｃ１が位置する側を正面としている。
【００４１】
上述した第１実施形態では、治具１が１本のロックレバー５を備え、１つのロック先端部５１によりコネクタＣが所定位置に固定されるが、本実施形態のコネクタ受け治具１００（以下、治具１００と略記する）では、２本のロックレバー１０５、１０５が備えられ、２つのロック先端部１５１、１５１によりコネクタＣがその左右両側で所定位置に固定されるようになっている。
【００４２】
ロックレバー１０５、１０５は、ベース部１０４の中央部を中心にして対称に設けられ、ベース部１０４に設けられた回動軸１４１、１４１を中心に回動自在となっている。ロックレバー１０５、１０５の他端部は、回動軸１４１、１４１から位置決め凹部１０３側に突出したコネクタ当接部１５２となっており、いずれも長孔状のスライド溝１５４、１５４が形成され、共通のスライドピン１５５が挿通されている。
【００４３】
コネクタ当接部１５２、スライドピン１５５は、コネクタＣが位置決め凹部１０３に位置決めされていない状態において正面視で位置決め凹部１０３と重複する位置にあり、位置決め凹部１０３に位置決めされた時のコネクタＣの設置スペース（図４において、コネクタＣが占有する空間）内に位置している。また、コネクタ当接部１５２、１５２は、ロック解除レバー１０６の一端部１６１によりその位置が保持されている。
【００４４】
ベース部１０４には、ロックレバー１０５、１０５が並設される方向の略中央部に、ロック解除レバー１０６の変位を許容する溝部１４５が形成されている。溝部１４５は、図３、図４の前後方向（図３、図４において紙面表裏方向）に延びてベース部１０４を切欠くように形成されている。
【００４５】
ロック解除レバー１０６は、図３、図４の前後方向に延びる部材であって、ベース部１０４内にて、ロックレバー１０５、１０５が並設される方向に延びるように設けられた回動軸１４２を中心に、図３、図４の前後方向に延びる平面上で回動自在となっている。
【００４６】
ロックレバー１０５の途中の、ベース部１０４側の面には係合凹部１５３、１５３が形成されており、ベース部１０４に設けられたボールプランジャ１４３、１４３の先端と係合可能となっている。
【００４７】
図３に示す状態からコネクタＣを治具１００に装着する場合、コネクタＣを位置決め凹部１０３内に進出させ、コネクタ当接部１５２、１５２と当接させた後、さらに作業者がコネクタＣを押し込むと、コネクタ当接部１５２、１５２が押圧されて下方に変位すると同時に、図４に示すようにロックレバー１０５、１０５のロック先端部１５１、１５１同士が接近する方向ｒ５に回動するよう駆動される。そして、この回動により、図４に示すように、係合凹部１５３、１５３とボールプランジャ１４３、１４３とが係合し、ロック先端部１５１、１５１の角度位置が保持される。
【００４８】
ロック先端部１５１、１５１は、前記回動により位置決め凹部１０３と対向する位置まで進出して、コネクタＣの、ベース部１０４側と反対の面を押さえ込むロック位置に保持される。これにより、第１実施形態と同様に、コネクタ当接部１５２、１５２の押し込みで、コネクタＣの装着作業と同時にロック作業も実行することができる。また、コネクタＣを位置決め凹部１０３へ挿入するといった作業は片手で行うことができるため、治具１００によっても作業性を向上させることができる。
【００４９】
また、図４に示すように、治具１００に装着されたコネクタＣは、ベース部１０４の位置決め凹部１０３の底部と２つのロック先端部１５１、１５１との間に挟持されるため、コネクタＣのロック状態をより安定させることができる。
【００５０】
ところで、本実施形態の治具１００のベース部１０４においても、位置決め凹部１０３を囲繞する部材がなく、位置決め凹部１０３から突出したコネクタＣは複数の方向からアクセスできるため、電線の接続作業を多方向から選択的に行うことが可能になる。
【００５１】
次に、コネクタＣのロック状態を解除する場合であるが、作業者は先ずロック解除レバー１０６の図４前側端部を押下してこれを回動操作し、同図後側の一端部１６１を前記コネクタＣの設置スペースに向かって進出させる。そして、一端部１６１がロックレバー１０５、１０５のコネクタ当接部１５２、１５２を押圧し、係合凹部１５３、１５３とボールプランジャ１４３、１４３との係合を解除させることで、ロックレバー１０５を図３に示すように、ロック先端部１５１、１５１同士を離反させる方向ｒ６に回動させる。ロックレバー１０５、１０５のこの回動により、ロック先端部１５１、１５１は同時にロック位置から退避してコネクタＣのロック状態が解除される。
【００５２】
このようなロック解除動作に基づいて、コネクタ当接部１５２、１５２はロック解除レバー１０６の回動と連動して、前記コネクタＣの設置スペース内に再び進出し、コネクタＣを上方に押し出すように変位する。これによりコネクタＣは、ベース部１０４のコネクタ挿入口１０２から押し出される。
【００５３】
このように、ロック解除レバー１０６の操作のみでロック先端部１５１、１５１をロック位置から退避させるとともに、確実にコネクタＣを位置決め凹部１０３から押し出す（引き抜く）ことができるため、その分作業効率を向上させることができ、作業時間を短縮させることができる。また、治具１００により、ロック解除レバー１０６の操作及びコネクタＣの引き抜き作業を両手を用いて同時に行う必要がないため、作業性を向上させることができる。
【００５４】
（その他の実施形態）  
上述した各実施形態においては、ロックレバー５、１０５が、コネクタＣをロックしたり、コネクタＣを位置決め凹部３、１０３から押し出したりしており、ロックレバー５、１０５が２つの役割を兼ねるように構成されているが、必ずしもこれに限定されるものではない。例えば、コネクタＣをロックする手段、コネクタＣを位置決め凹部３、１０３から押し出す手段を別部材で構成してもよい。
【００５５】
また、ロック解除レバー６、１０６によるロックレバー５、１０５のロック解除動作と、コネクタ当接部５２、１５２によるコネクタＣの押し出し動作とが必ずしも連動していなくてもよい。ロック解除レバー６、１０６によるロック解除動作に基づいて、所定時間後にコネクタＣの押し出し動作が実行される、所謂二段階動作を伴うものでもよく、本発明においては、作業者によるロック解除レバー６、１０６の操作のみにより、ロック解除動作及びコネクタＣの押し出し動作が実行できるものであればよい。
【００５６】
また、上述した各実施形態においては、ロックレバー５、１０５、ロック解除レバー６、１０６を設け、作業者の適宜の操作により機械的な動力伝達を伴ってロック動作、ロック解除動作、コネクタＣの押し出し動作を実行することとしているが、必ずしもこれに限定されるものではない。例えば、コネクタＣが位置決め凹部３、１０３内に装着されたことを検出する検出センサを設けてもよく、該検出センサの検出結果に基づいて、ソレノイド等のアクチュエータを駆動手段としてこれを電気的に制御することでロックレバーを作動させるようにしてもよい。
【００５７】
また、ロック解除レバーの代わりに、押しボタン等の入力手段を設け、作業者の入力操作に基づいて、ソレノイド等のアクチュエータを電気的に制御することでコネクタＣを押し出すようにしてもよい。
【００５８】
この発明の構成と、上述の実施形態との対応において、
この発明のロック手段は、ロック先端部５１、１５１に対応し、
以下同様に、
ロック解除操作手段は、ロック解除レバー６、１０６に対応し、
ロック駆動手段は、コネクタ当接部５２、１５２に対応し、
押し出し手段は、コネクタ当接部５２、１５２に対応し、
保持手段は、ボールプランジャ４３、１４３に対応するも、
この発明は、上述の実施形態の構成のみに限定されるものではなく、多くの実施の形態を得ることができる。
【図面の簡単な説明】
【００５９】
【図１】本発明の第１実施形態に係るコネクタ受け治具のコネクタ装着前の状態を示す側面図。
【図２】本発明の第１実施形態に係るコネクタ受け治具のコネクタ装着後の状態を示す側面図。
【図３】本発明の第２実施形態に係るコネクタ受け治具のコネクタ装着前の状態を示す正面図。
【図４】本発明の第２実施形態に係るコネクタ受け治具のコネクタ装着後の状態を示す正面図。
【符号の説明】
【００６０】
１、１００…コネクタ受け治具
２、１０２…コネクタ挿入口
４、１０４…ベース部
５、１０５…ロックレバー
６、１０６…ロック解除レバー
４１、４２、１４１…回動軸
４３、１４３…ボールプランジャ
５１、１５１…ロック先端部
５２、１５２…コネクタ当接部
【図１】
2007258002.tif 000003
【図２】
2007258002.tif 000004
【図３】
2007258002.tif 000005
【図４】
2007258002.tif 000006